(57)【要約】      （修正有）【課題】甲板における住宅への海水の浸入を防止できるとともに、甲板の空間を効果的に利用できる暴波装置と海上人間住居システムを提供する。【解決手段】海上人間居住システムは、甲板と甲板に建てられた住宅とを含み、住宅を囲むように複数の防波装置１００が設けられている。防波装置は、甲板に設けられ、ベース１、ガードプレート２及び支持手段を備えている。ガードプレートの一端はベースに枢着され、支持手段は伸縮ロッド３１と駆動装置とを備え、ガードプレートの他端を押し上げることができる。【選択図】図３
0003218236.tif 000002
【実用新案登録請求の範囲】
【請求項１】
甲板に設けられ、ベース、ガードプレート及び支持手段を備え、前記ガードプレートの一端は前記ベースに枢着され、前記支持手段は前記ガードプレートの他端を押し上げることができることを特徴とする海上人間居住システムに用いられる防波装置。
【請求項２】
前記支持手段は、伸縮ロッドと、前記伸縮ロッドを伸長又は短縮させる駆動装置とを備えていることを特徴とする請求項１に記載の海上人間居住システムに用いられる防波装置。
【請求項３】
前記防波装置は、海水を検測可能な検測部品と、検測部品からの信号に基づいて駆動装置の作動を制御する制御部品とをさらに備え、
前記検測部品は、前記ベースに設けられ、
前記検測部品、制御部品及び駆動装置は、順に電気接続されている
ことを特徴とする請求項２に記載の海上人間居住システムに用いられる防波装置。
【請求項４】
前記伸縮ロッドは、順に挿設される中空スリーブを少なくとも２つ備え、
隣接する内外２つのスリーブのうち、外層に位置するスリーブの上端の内壁には規制部が設けられ、内層に位置するスリーブの下端の外壁には係止部が設けられ、
前記駆動装置は、内層のスリーブが外層のスリーブに対して上方へ摺動するように駆動することができ、前記内層のスリーブにおける係止部は、外層のスリーブにおける規制部に当接して外層のスリーブを上方へ摺動させる
ことを特徴とする請求項２又は３に記載の海上人間居住システムに用いられる防波装置。
【請求項５】
前記駆動装置は、伸縮シリンダを含み、
前記伸縮シリンダのピストンロッドは、前記伸縮ロッドの最内層のスリーブに接続されている
ことを特徴とする請求項４に記載の海上人間居住システムに用いられる防波装置。
【請求項６】
前記駆動装置は、油圧システムを含み、
前記油圧システムのアクチュエータにより、前記伸縮ロッドを直線に往復運動させる
ことを特徴とする請求項４に記載の海上人間居住システムに用いられる防波装置。
【請求項７】
前記支持手段は、さらに緩衝ばねを含み、
前記緩衝ばねの一端が伸縮ロッドの最内層のスリーブに接続され、他端が前記伸縮シリンダのピストンロッドに接続されている
ことを特徴とする請求項５に記載の海上人間居住システムに用いられる防波装置。
【請求項８】
甲板及び住宅を含み、前記住宅が前記甲板に建てられる海上人間居住システムであって、
前記住宅を囲むように複数の請求項１に記載の前記防波装置が設けられていることを特徴とする海上人間居住システム。
【考案の詳細な説明】
【技術分野】
【０００１】
本考案は、治水施設の技術分野に属し、特に海上人間居住システム及びその防波装置に関する。
【背景技術】
【０００２】
現在、陸上の土地資源がますます不足しているため、住宅が密集になり、採光が不足し、風通しが悪くなるので、住環境がますます悪化している。これに対して、生活水準の向上に伴って、住環境に対する要求が上昇している。一部の海岸都市は、土地面積を拡大させるために、海面埋め立て工事に大きな力を入れた。
【０００３】
内陸の住環境と比べて、海岸では、空気が爽やか、景色が綺麗、視野がよいので、人々は海岸又は海上を居場所とする生活に憧れている。しかしながら、従来の海上人間居住システムには専用の治水施設が設けられていないので、波に襲われると、海水が容易に浸入するようになる。このため、海上人間居住システムに治水施設を設ける必要がある。
【考案の概要】
【考案が解決しようとする課題】
【０００４】
本考案は、従来技術における対応する治水施設が設けられず、海水が容易に浸入する問題を解決できる海上人間居住システム及びその防波装置を提供することを課題とする。
【課題を解決するための手段】
【０００５】
本考案は、以下のように実現された。海上人間居住システムに用いられる防波装置は、甲板に設けたれ、ベース、ガードプレート及び支持手段を備え、前記ガードプレートの一端は前記ベースに枢着され、前記支持手段は前記ガードプレートの他端を押し上げることができる。
【０００６】
さらに、前記支持手段は、伸縮ロッドと、前記伸縮ロッドを伸長又は短縮させる駆動装置とを備えている。
【０００７】
さらに、前記防波装置は、海水を検測可能な検測部品と、検測部品からの信号に基づいて駆動装置の作動を制御する制御部品とをさらに備え、前記検測部品は、前記ベースに設けられ、前記検測部品、制御部品及び駆動装置は、順に電気接続されている。
【０００８】
さらに、前記伸縮ロッドは、順に挿設される中空スリーブを少なくとも２つ備え、隣接する内外２つのスリーブのうち、外層に位置するスリーブの上端の内壁には規制部が設けられ、内層に位置するスリーブの下端の外壁には係止部が設けられ、前記駆動装置は、内層のスリーブが外層のスリーブに対して上方へ摺動するように駆動することができ、前記内層のスリーブにおける係止部は、外層のスリーブにおける規制部に当接して外層のスリーブを上方へ摺動させる。
【０００９】
さらに、前記駆動装置は、伸縮シリンダを含み、前記伸縮シリンダのピストンロッドは、前記伸縮ロッドの最内層のスリーブに接続されている。
【００１０】
さらに、前記駆動装置は、油圧システムを含み、前記油圧システムのアクチュエータにより、前記伸縮ロッドを直線に往復運動させる。
【００１１】
さらに、前記支持手段は、さらに緩衝ばねを含み、前記緩衝ばねの一端が伸縮ロッドの最内層のスリーブに接続され、他端が前記伸縮シリンダのピストンロッドに接続されている。
【００１２】
上記技術問題を解決するために、本考案はさらに海上人間居住システムを提供する。海上人間居住システムは、甲板及び住宅を含み、前記住宅が前記甲板に建てられ、前記住宅を囲むように複数の上記の防波装置が設けられている。
【考案の効果】
【００１３】
本考案は、従来技術と比べて、以下の有益な効果を有する。本考案は、海上人間居住システムの防波装置を提供した。波が甲板に上がるとき、ガードプレートを押し上げることによって、海水を阻止できるとともに、甲板における住宅への海水の浸入を防止することができる。海水が穏やかになるとき、ガードプレートを引き下げることによって、甲板と平行になり、通路又は床として使用できるので、甲板の空間を効果的に利用することができる。
【図面の簡単な説明】
【００１４】
【図１】本考案の実施例による海上人間居住システムに用いられる防波装置のガードプレートが押し上げられる前の構成斜視模式図である。
【図２】図１におけるＡ部の拡大図である。
【図３】図１に示す防波装置のガードプレートが押し上げられた後の構成斜視模式図である。
【図４】図１に示す防波装置のガードプレートが押し上げられた後のその他の構成斜視模式図である。
【考案を実施するための形態】
【００１５】
以下、本考案が解決する技術問題、技術案及び有益な効果をより明瞭にするために、図面及び実施例を参照しながら、本考案をより詳しく説明する。以下に説明する具体的な実施例は本考案を解釈するためのものに過ぎず、本考案を限定するものではないと理解すべきである。
【００１６】
図１〜図４に示す実施例は、本考案の好ましい一実施例である。海上人間居住システムに用いられる防波装置１００は、甲板（図示せず）に設けられ、ベース１、ガードプレート２及び支持手段３を備えている。ガードプレート２の一端がベース１に枢着されているので、ガードプレート２の他端がベース１の周りを回転できるようになる。支持手段３は、ガードプレート２の他端を押し上げることができる。
【００１７】
支持手段３は、伸縮ロッド３１と、伸縮ロッド３１を伸長又は短縮させる駆動装置（図示せず）とを備えている。伸縮ロッド３１は、順に挿設される中空スリーブ３１１を少なくとも２つ備えている。隣接する内外２つのスリーブ３１１のうち、外層に位置するスリーブ３１１の上端の内壁には規制部（図示せず）が設けられ、内層に位置するスリーブ３１１の下端の外壁には係止部（図示せず）が設けられている。駆動装置は、内層のスリーブ３１１が外層のスリーブ３１１に対して上方へ摺動できるように駆動する。内層のスリーブ３１１における係止部は、外層のスリーブ３１１における規制部に当接して、外層のスリーブ３１１を上方へ摺動させる。
【００１８】
本実施例において、駆動装置は、伸縮シリンダを使用することができる。伸縮シリンダのピストンロッドは、伸縮ロッド３１の最内層のスリーブ３１１に接続される。このため、伸縮シリンダのピストンロッドが伸長するとき、最内層のスリーブ３１１を上方へ移動させることができる。最内層のスリーブ３１１が一定の距離移動すると、その外壁における係止部が外層のスリーブの規制部に当接するので、外層のスリーブ３１１も上方へ移動させる。同様に、スリーブ３１１の数量が２つ以上である場合、外層のスリーブ３１１の係止部は、更なる外層に位置するスリーブの規制部を駆動するので、更なる外層に位置するスリーブ３１１を上方へ摺動させる。そのため、単にピストンロッドにより最内層のスリーブ３１１を上方へ摺動させることで、その外側の各層のスリーブ３１１が内から外まで順に上方へ摺動することができる。本考案の駆動装置は、上記の伸縮シリンダに限らず、油圧システム（図示せず）を動力源とすることができる。油圧システムのアクチュエータで伸縮ロッド３１を直線に往復運動させることによって、ガードプレート２の押し上げ又は引き下げを行うことができる。
【００１９】
波がガードプレートと衝撃すると、一部の衝撃力によりガードプレート２に対する垂直下方への圧力が生成される。ガードプレート２が長期間衝撃されれば、崩壊される場合がある。このため、支持手段３には、さらに緩衝ばね（図示せず）が設けられている。緩衝ばねの一端が伸縮ロッド３１の最内層のスリーブ３１１に接続され、他端が伸縮シリンダのピストンロッドに接続されている。ガードプレート２が下方への衝撃力を受けたとき、その力が最内層のスリーブ３１１に到達し、最内層のスリーブ３１１が緩衝ばねを押圧する。そして、緩衝ばねが圧縮されると上方への弾力が生成されるので、ガードプレート２が受けた上方への衝撃力を相殺することができる。
【００２０】
図２に示すように、防波装置は、自動制御を実現するために、海水を検測可能な検測部品４と、検測部品４からの信号に基づいて駆動装置の作動を制御する制御部品（図示せず）とをさらに備えることができる。検測部品４はベース１に設けられている。検測部品４、制御部品及び駆動装置は順に電気接続されている。波が一定の高さまで上がると、海水が検測部品４と接触する。検測部品４が海水を検測した場合、海水が一定の高さまで上がったと表明したので、検測部品４が制御部品へ信号を送信する。制御部品が信号を受信すると、駆動装置を制御し作動させる。そして、駆動装置によりガードプレート２を押し上げて、甲板への海水の浸入を防止するようになる。
【００２１】
本実施例は、上記防波装置を使用する海上人間居住システムをされに提供する。該海上人間居住システムは、甲板及び住宅を含む。住宅が甲板に建てられ、住宅を囲むように複数の上記防波装置１００が設けられている。
【００２２】
波が甲板に上がるとき、ガードプレート２を押し上げることによって、海水を阻止できるとともに、甲板における住宅への海水の浸入を防止することができる。海水が穏やかになるとき、ガードプレート２を引き下げることによって、甲板と平行になり、通路又は床として使用できるので、甲板の空間を効果的に利用することができる。
【００２３】
以上の説明は、本考案の好ましい実施例に過ぎず、本考案を限定するものではない。本考案の主旨及び原則に基づいて行われた全ての変更、均等的置き換え及び改良等は、本考案の保護範囲内に属する。
【図１】
0003218236.tif 000003
【図２】
0003218236.tif 000004
【図３】
0003218236.tif 000005
【図４】
0003218236.tif 000006